(57)【要約】【課題】小ロットの包装材料を安価に且つ安定して製造できるようにする。【解決手段】印刷基材５に輪転方式で印刷物の縦方向の寸法を任意に変更可能なオフセット印刷機１を用いて繰り返し絵柄を印刷した後、印刷面に透明フィルム１５を張り合わせて一体化する。【選択図】        図１
2004358788.tif 000002
【特許請求の範囲】
【請求項１】
印刷基材に輪転方式で印刷物の縦方向の寸法を任意に変更可能なオフセット印刷機を用いて繰り返し絵柄を印刷した後、印刷面に透明フィルムを張り合わせて一体化することを特徴とする包装材料の製造方法。
【請求項２】
前記印刷に、紫外線硬化型又は電子線硬化型の速乾性インキを用いることを特徴とする請求項１に記載の包装材料の製造方法。
【請求項３】
前記印刷基材が紙又はプラスチックフィルムであることを特徴とする請求項１又は２に記載の包装材料の製造方法。
【請求項４】
前記印刷基材への透明フィルムの張り合わせを、ヒートラミネーション方式により印刷と共にインラインで行うことを特徴とする請求項１に記載の包装材料の製造方法。
【請求項５】
前記印刷基材がプラスチックフィルムの場合であって、印刷面に隠蔽性を必要とする白色ベタ印刷部を形成する場合は、該白色ベタ印刷部を凸版印刷機又はグラビア印刷機を併用して印刷することを特徴とする請求項１又は３に記載の包装材料の製造方法。
【請求項６】
大径部と小径部とを有するブランケット胴と圧胴との間に印刷基材を通して印刷するオフセット印刷機と、該オフセット印刷機の上流に配置して入側に印刷基材の長さ調整部を有する入側正逆転駆動ローラと、前記オフセット印刷機の下流に配置して出側に印刷基材の長さ調整部を有する出側正逆転駆動ローラと、該出側正逆転駆動ローラの出側に備えた長さ調整部の下流において前記印刷基材の印刷面に透明フィルムを張り合わせるフィルム張り合わせ装置とを備えたことを特徴とする包装材料の製造装置。
【請求項７】
前記フィルム張り合わせ装置が、ヒートローラを有するヒートラミネーション装置であることを特徴とする請求項６に記載の包装材料の製造装置。
【発明の詳細な説明】
【０００１】
【発明の属する技術分野】
本発明は包装分野、特に軟包装分野において小ロットの包装材料を製造するのに適した包装材料の製造方法及び装置に関するものである。
【０００２】
【従来の技術】
包装材料、特に比較的少量の商品を収容する袋形態の包装に使用されるフィルム状の包装材料（軟包装材料という）には、包装機械適性から連続した繰り返し絵柄を有するウェブ状物（巻き取り可能な帯状物）が要求され、且つ絵柄には大量に陳列される商品の中から当該商品がアピールされるように美麗な印刷が要求される。
【０００３】
更に、繰り返される絵柄の寸法は、商品の形態及び内容量に合わせて決定されるために千差万別であり、又、内容物を保護するための包装材料には強度、各種の防御機能、密封機能等の条件・機能が要求される。
【０００４】
これ等の多くの条件を満たすために、軟包装材料の多くは求められる前記種々の条件・機能を満たすために各種の素材を張り合わせた積層構造を形成している。
【０００５】
一方、販売方法の変革によって商品はスーパーマーケット等による大量販売が主流となってきており、従ってこうした商品を包装する包装材料にも大量生産によるコスト低減が求められている。
【０００６】
上記した軟包装材料の印刷は、従来から一般に、当該包装材料の積層構造とする印刷に適したウェブ状の印刷基材（印刷原反）に、グラビア方式により印刷している。
【０００７】
グラビア方式は、インキ供給機構が単純であるために印刷する軟包装材料として重要な要件である連続し且つあらゆる寸法の絵柄に対応できるバリアブルな円筒状の版が使用でき、且つ美麗な印刷が可能であることから軟包装材料の製造に最も適した方法として多用されている。
【０００８】
そして、上記グラビア方式にて印刷を行ったウェブ状の印刷基材に、当該包装材料に要求される強度や防御機能（バリアー性）を発揮する素材を適当な接着剤を用いて張り合わせることにより包装材料を製造している。
【０００９】
近年、軟包装材料の製造機械は大型化、且つ高速化することによって大量の包装材料を効率よく製造することが要求され、グラビア方式を用いて印刷しているこれ等の製造機械は一回の生産量が数十万袋から数百万袋、時には億単位の製造に対応でき、これによって安定した適正なコストでの包装材料の供給を可能にしている。
【００１０】
一方、これとは別に、包装分野では、一回の生産量が数千袋から数万袋程度の少量の限られた需要を満たすように多品種で小ロットの包装材料を供給することも要求される。
【００１１】
これ等の限られた需要を満たす小ロットの包装材料を製造するために、前記したような大量生産に適した大型且つ高速化された製造機械を用いることは非能率であり適正な価格で需要を満たすことは困難である。特に、前記したグラビア方式の印刷に必要な版は、グラビア方式、凸版方式、オフセット方式の内で最も高価であり、しかも作業量の多少にかかわらず大掛かりな設備を準備する必要があるために、製造コストが大幅に増加してしまう。
【００１２】
この解決策として、従来から第１の方策としては、類似した複数の包装材料を付け合わせて製造することにより生産数量を多くする方法が採られている。しかしこの方式では複数の包装材料が常に同数製造されるため、製品によっては需要量とのアンバランスを生じ無駄な包装材料を生産することになり、かえってコストを引き上げる恐れがある。又第２の方策としては、印刷方式として少量印刷に適した輪転凸版方式の印刷にて対応する試みも見られる。しかし凸版方式は印刷の品質が現在のグラビア方式に比して劣る等の面から、広く汎用され難い。
【００１３】
一方、輪転方式で印刷物の縦方向の寸法を任意に変更できるようにした印刷機が提案されている（例えば、特許文献１参照）。
【００１４】
【特許文献１】
特開２００１−０３８８７４号公報
【００１５】
【発明が解決しようとする課題】
前記特許文献１は、従来から知られている印刷物の縦方向の寸法を任意に変更可能な印刷機において、印刷ユニットに対する用紙の正逆走行及び走行量の調整を行うための正逆走行装置を、印刷ユニットに対して１個の回転体にて構成することによって、正逆走行装置のためのスペースを少なくすることを開示したものであるが、係る特許文献１は通常の印刷物の印刷を対象としたものであって、包装材料、特に軟包装材料を印刷することについては何ら開示していない。
【００１６】
従って、包装分野、特に軟包装分野において包装材料をオフセット印刷機を用いて印刷することができれば、美麗な印刷品質をもつ小ロットの軟包装材料を安価に且つ安定して提供できるので汎用性が期待できる。
【００１７】
本発明は、上記課題に鑑みてなしたもので、小ロットの包装材料を安価に且つ安定して製造できる包装材料の製造方法及び装置を提供することを目的とする。
【００１８】
【課題を解決するための手段】
請求項１に記載の発明は、印刷基材に輪転方式で印刷物の縦方向の寸法を任意に変更可能なオフセット印刷機を用いて繰り返し絵柄を印刷した後、印刷面に透明フィルムを張り合わせて一体化することを特徴とする包装材料の製造方法、に係るものである。
【００１９】
請求項２に記載の発明は、前記印刷に、紫外線硬化型又は電子線硬化型の速乾性インキを用いることを特徴とする請求項１に記載の包装材料の製造方法、に係るものである。
【００２０】
請求項３に記載の発明は、前記印刷基材が紙又はプラスチックフィルムであることを特徴とする請求項１又は２に記載の包装材料の製造方法、に係るものである。
【００２１】
請求項４に記載の発明は、前記印刷基材への透明フィルムの張り合わせを、ヒートラミネーション方式により印刷と共にインラインで行うことを特徴とする請求項１に記載の包装材料の製造方法、に係るものである。
【００２２】
請求項５に記載の発明は、前記印刷基材がプラスチックフィルムの場合であって、印刷面に隠蔽性を必要とする白色ベタ印刷部を形成する場合は、白色ベタ印刷部を凸版印刷機又はグラビア印刷機を併用して印刷することを特徴とする請求項１又は３に記載の包装材料の製造方法、に係るものである。
【００２３】
請求項６に記載の発明は、大径部と小径部とを有するブランケット胴と圧胴との間に印刷基材を通して印刷するオフセット印刷機と、該オフセット印刷機の上流に配置して入側に印刷基材の長さ調整部を有する入側正逆転駆動ローラと、前記オフセット印刷機の下流に配置して出側に印刷基材の長さ調整部を有する出側正逆転駆動ローラと、該出側正逆転駆動ローラの出側に備えた長さ調整部の下流において前記印刷基材の印刷面に透明フィルムを張り合わせるフィルム張り合わせ装置とを備えたことを特徴とする包装材料の製造装置、に係るものである。
【００２４】
請求項７に記載の発明は、前記フィルム張り合わせ装置が、ヒートローラを有するヒートラミネーション装置であることを特徴とする請求項６に記載の包装材料の製造装置、に係るものである。
【００２５】
上記手段によれば以下の如く作用する。
【００２６】
印刷の方法として製版コストがグラビア方式に比して安価で且つグラビア方式と同等以上の印刷品質が得られるオフセット方式を用い、さらにそれに軟包装材料としての適性な機能を得るための透明フィルムを積層するようにしたので、少量需要に対応して包装材料を安価に且つ安定して提供することができる。尚、従来技術のオフセット印刷機では、輪転式を採用しても軟包装材料の製造に要求される縦方向の寸法が種々変化する連続した繰り返し絵柄を印刷することは、繁雑な作業が増加するために実施が困難であり、よって小ロットの軟包装材料の印刷には採用できないが、本発明では輪転方式にて印刷物の縦方向の寸法を任意に変更して連続した繰り返し絵柄の印刷が可能なオフセット印刷機を用いたことにより、軟包装材料をオフセット印刷機により印刷して軟包装材料の安定供給を図ることができる。
【００２７】
印刷基材としては主として紙又はプラスチックフィルムを用いることができ、又、従来の酸化重合による遅乾性のオフセットインキではロールツーロールでの印刷は困難であるが、印刷に紫外線硬化型又は電子線硬化型の速乾性インキを用いることにより確実な印刷が可能になる。
【００２８】
更に、印刷基材がプラスチックフィルムの場合であって、印刷面に隠蔽性を必要とする白色ベタ印刷部を形成する場合には、白色ベタ印刷部を凸版印刷機又はグラビア印刷機を併用して印刷することによって、隠蔽印刷が容易な他の印刷方式を併用して生産性を大幅に高めることができる。
【００２９】
又、当該印刷基材に強度等の包装に必要な機能を付与するための透明フィルムを積層するための張り合わせには、同一機械内で同時に行われるインラインラミネート方式を採用することによって、包装材料の生産性を更に高めることができる。尚、張り合わせに際しては、環境、及び安全牲に配慮してヒートラミネート方式を採用するのが望ましいが、従来より使用されているドライラミネート方式を採用することもできる。
【００３０】
【発明の実施の形態】
以下、本発明の好適な実施の形態を図面に基づいて説明する。
【００３１】
図１は本発明の包装材料、特に軟包装材料の製造方法を実施する装置の一例を示す全体側面図であり、図中１は多色印刷を行うための複数段の印刷部２を備えたオフセット印刷機である。図２はオフセット印刷機１の１つの印刷部２を示しており、各印刷部２は、ブランケット胴３と圧胴４との間に紙又はプラスチックフィルムからなる印刷基材５を通すよう構成されている。
【００３２】
前記ブランケット胴３は、版胴６の周面に接触する大径部３ａと、版胴６の周面と所定の隙間を有する小径部３ｂとを周方向に分割して形成している。前記版胴６には着ローラ７が接し、該着ローラ７には練りローラ群及び揺動ローラ群８が接しており、練りローラ群及び揺動ローラ群８からのインキが着ローラ７及び版胴６を介してブランケット胴３の大径部３ａに与えられて、印刷基材５に印刷絵柄を印刷するようになっている。又、この印刷には紫外線硬化型又は電子線硬化型の速乾性インキを用いる用にする。
【００３３】
前記ブランケット胴３の大径部３ａの周方向の長さは、軟包装材料（絵柄）の最大天地寸法より少し長いか又は一致している。更に、絵柄の天地寸法の整数倍がブランケット胴３の大径部３ａの周長と一致していてもよい。又、図２の実施の形態ではブランケット胴３の大径部３ａの周方向の長さが全周長の略１／２である場合を示している。
【００３４】
図１の前記オフセット印刷機１の上流には、紙又はプラスチックフィルムからなる印刷基材５を定速で供給するようにした供給装置９を設けている。
【００３５】
前記供給装置９とオフセット印刷機１との間には、印刷基材５を挟む入側正逆転駆動ローラ１０が設けてあり、該入側正逆転駆動ローラ１０の入側における前記供給装置９との間には印刷基材５を自然垂下してアキュムレートを構成する長さ調整部１１を設けている。
【００３６】
又、前記オフセット印刷機１の下流には、印刷基材５を挟んで前記入側正逆転駆動ローラ１０と常に同期して同一速度で正転・逆転を行うようにした出側正逆転駆動ローラ１３が設けてあり、該出側正逆転駆動ローラ１３の出側には印刷基材５を自然垂下してアキュムレートを構成する長さ調整部１４を設けている。
【００３７】
尚、図１では自然垂下による長さ調整部１４を設けた場合について例示したが、アキュムレートができる構成であれば、長さ調整部１４には種々の方式を採用することができる。
【００３８】
更に、前記出側正逆転駆動ローラ１３の出側に備えた長さ調整部１４の下流には、前記印刷基材５の印刷面に透明フィルム１５を張り合わせて印刷製品５０とするためのフィルム張り合わせ装置１６を設けている。このフィルム張り合わせ装置１６は、ヒートローラ１７を有するヒートラミネーション装置１８によって構成している。
【００３９】
上記フィルム張り合わせ装置１６の下流には、前記印刷製品５０を巻取るための巻取り装置１２を設けている。
【００４０】
以下に、上記形態例の作用を説明する。
【００４１】
図１に示した形態例では、供給装置９から送出される印刷基材５は、前記入側正逆転駆動ローラ１０と出側正逆転駆動ローラ１３の駆動によって一定の走行速度でオフセット印刷機１を搬送され、各印刷部２に備えたブランケット胴３と圧胴４の間を通る間にブランケット胴３の大径部３ａによって絵柄が印刷される。そして、ブランケット胴３が１回転する毎に、印刷基材５がブランケット胴３の小径部３ｂに対向している間に、ブランケット胴３の大径部３ａの周長から上記絵柄の天地方向寸法を差引いた周長分だけ入側正逆転駆動ローラ１０及び出側正逆転駆動ローラ１３を逆転させて、印刷基材５を搬送方向に対して逆走させる。
【００４２】
上記入側正逆転駆動ローラ１０及び出側正逆転駆動ローラ１３の逆転によって印刷基材５が逆走されたときには、上流側の長さ調整部１１での印刷基材の垂下量が増加し、下流側の長さ調整部１４の垂下量が減少するので、前記印刷基材５が逆走することによる搬送の変化は長さ調整部１１，１４によって吸収される。これにより、印刷基材５に対して繰り返し絵柄が連続して印刷される。尚、上記において、絵柄の天地方向の寸法或いはその寸法の整数倍が、ブランケット胴３の周長と一致している場合には、小径部３ｂを有しないブランケット胴３に組替えることによって、前記印刷基材５を逆走させることなく、従来のオフセット方式と同様に印刷基材５を連続走行させた状態で繰り返し絵柄を印刷できることは勿論である。
【００４３】
上記により、例えば図３に示す如く、袋形態の軟包装材料としての表面絵柄１９と裏面絵柄２０とが同時に並行して印刷された所要の縦方向寸法Ｌの絵柄が、印刷基材５の長手方向表面に繰り返し絵柄として連続印刷される。
【００４４】
更に、上記したようにオフセット印刷機１によって繰り返し絵柄が印刷された印刷基材５は、図１のフィルム張り合わせ装置１６を構成するヒートラミネーション装置１８に搬送され、フィルム張り合わせ装置１６から供給される透明フィルム１５がヒートローラ１７によって一体に張り合わされることにより印刷製品５０が得られる。このとき、印刷基材５に欠けている強度、密封等の機能を補う透明フィルム１５が印刷基材５に張り合わされて軟包装材料としての機能を備えた印刷製品５０となる。該印刷製品５０は巻取り装置１２によって巻取られる。又、前記したように、印刷に紫外線硬化型又は電子線硬化型の速乾性インキを用いているので、印刷を終了した印刷基材５への透明フィルム１５の張り合わせをヒートラミネーション方式によってインラインで行うことができ、よって包装材料の生産性が高められる。
【００４５】
以下に、印刷基材５が紙の場合とプラスチックフィルムの場合とについて夫々説明する。
【００４６】
印刷基材５が図４の如く紙５ａの場合には、紙５ａの印刷面とは反対側の裏面にポリオレフィン等のヒートシール材２１を予め張り合わせておき、このように裏面にヒートシール材２１を備えた紙５ａを図１の供給装置９からオフセット印刷機１に導き、紙５ａの表面にオフセット印刷機１にて印刷することにより図４の印刷層２２を形成する。
【００４７】
又、図１のフィルム張り合わせ装置１６における透明フィルム１５の前記印刷層２２に対向する面には、ポリオレフィン等のヒートラミネート材２３を予め一体に備えてヒートラミネート性が付与されており、前記ヒートラミネート材２３が前記印刷層２２に対向するように透明フィルム１５をヒートラミネーション装置１８のヒートローラ１７に供給して加熱接着する。これにより、図５に示す如く、紙５ａの裏面に備えたヒートシール材２１と、ヒートラミネート材２３を備えた透明フィルム１５とによって紙５ａがサンドイッチ状に挾持されて張り合わされ、所要の機能が保持された印刷製品５０が得られる。
【００４８】
一方、印刷基材５が図６の如くプラスチックフィルム５ｂの場合には、図１の供給装置９から供給されるプラスチックフィルム５ｂの裏面にオフセット印刷機１によって印刷することにより印刷層２２を形成する。この場合は裏面の印刷層２２によってプラスチックフィルム５ｂの表面（下面）に正の絵柄が現れることになる。このとき、プラスチックフィルム５ｂの裏面に予めコロナ放電によって易接着性処理を施しておくことにより、プラスチックフィルム５ｂに対して良好に印刷することができる。
【００４９】
フィルム張り合わせ装置１６の透明フィルム１５における前記印刷層２２に対向する面には図７に示す接着層２４を形成する。接着層２４は予めヒートラミネート材を透明フィルム１５に張り合わせてヒートラミネート性を付与したもの、或いはヒートラミネート性の材料を透明フィルム１５に塗布してヒートラミネート性を付与したものとすることができる。又、接着層２４を備えることなしに、透明フィルム１５自体がヒートラミネート性を備えたものを用いることもできる。尚、透明フィルム１５の接着層２４を形成しない面にはヒートシール性を備えなければならない。このように接着面にヒートラミネート性が付与された透明フィルム１５をヒートラミネーション装置１８のヒートローラ１７に導いて加熱接着する。これにより、図７に示す如く、プラスチックフィルム５ｂによる印刷基材５と、ヒートラミネート性を備えた透明フィルム１５とが接着されて一体に張り合わされ、所要の機能が保持された印刷製品５０が得られる。
【００５０】
又、前記ヒートラミネート性を備えていない透明フィルム１５をプラスチックフィルム５ｂに張り合わせる場合には、前記プラスチックフィルム５ｂの印刷面又は透明フィルム１５に接着剤を塗布することによって接着層２４を形成し、乾燥後に、ドライラミネート方式を採用して圧接することによって一体に張り合わせる。
【００５１】
一方、上記したように印刷基材５がプラスチックフィルム５ｂの場合であって、印刷面に隠蔽性を必要とする白色ベタ印刷部を形成する場合には、該白色ベタ印刷部の印刷に適した凸版印刷機又はグラビア印刷機を併用して用いることができる。
【００５２】
以下に、本発明の実施例を示すが、本発明はこれ等の実施例に限定されるものではない。
【００５３】
［実施例１］
裏面に対して予め厚さ１５マイクロメートルのポリエチレンを張り合わせたコート紙（６０ｇ／ｍ２）の表面に、輪転方式で印刷物の縦方向の寸法を任意に変更可能なオフセット印刷機により、紫外線硬化型の速乾性インキ（ＵＶキュアーインキ）５色を用いて約７０ｍ／ｍｉｎの印刷速度で印刷を行った。
【００５４】
続いて、上記コート紙をオフセット印刷機の後方に設けたフィルム張り合わせ装置に導き、ヒートラミネート材を一体に備えた厚さ２０マイクロメートルの延伸ポリプロピレンフィルム（透明フィルム）のヒートラミネート面を、前記コート紙の印刷面に合わせ、１２０℃に加熱したヒートローラで加熱接着することにより、包装材料を得た。
【００５５】
［実施例２］
コロナ放電により予め易接着性処理を施した厚さ２５マイクロメートルのポリエステルフィルムのコロナ処理面に、輪転方式で印刷物の縦方向の寸法を任意に変更可能なオフセット印刷機により、紫外線硬化型の速乾性インキ（ＵＶキュアーインキ）５色を用いて約７０ｍ／ｍｉｎの印刷速度で印刷を行った。
【００５６】
続いて、印刷面にウレタン系の接着剤を塗布し、乾燥後、厚さ２０マイクロメートルの接着面をコロナ処理した無延伸のポリプロピレンフィルム（透明フィルム）を印刷面に張り合わせて包装材料を得た。
【００５７】
尚、本発明は上記形態例にのみ限定されるものではなく、印刷基材と透明フィルムとを一体に接着するための構成、及びその材質は種々選定し得ること、その他本発明の要旨を逸脱しない範囲内において種々変更を加え得ること、等は勿論である。
【００５８】
【発明の効果】
本発明によれば、以下の如き優れた効果を奏し得る。
【００５９】
印刷の方法として製版コストがグラビア方式に比して安価で且つグラビア方式と同等以上の印刷品質が得られるオフセット方式を用い、更にそれに軟包装材料としての適性な機能を得るための透明フィルムを積層するようにしたので、少量需要に対応して包装材料を安価に且つ安定して提供することができる。尚、従来技術のオフセット印刷機では、輪転式を採用しても軟包装材料の製造に要求される縦方向の寸法が種々変化する連続した繰り返し絵柄を印刷することは、繁雑な作業が増加するために実施が困難であり、よって小ロットの軟包装材料の印刷には採用できないが、本発明では輪転方式にて印刷物の縦方向の寸法を任意に変更して連続した繰り返し絵柄の印刷が可能なオフセット印刷機を用いたことにより、軟包装材料をオフセット印刷機により印刷して軟包装材料の安定供給を図ることができる。
【００６０】
印刷基材としては主として紙又はプラスチックフィルムを用いることができ、又、従来の酸化重合による遅乾性のオフセットインキでは印刷は困難であるが、印刷に紫外線硬化型又は電子線硬化型の速乾性インキを用いることにより確実な印刷が可能になる。
【００６１】
更に、印刷基材がプラスチックフィルムの場合であって、印刷面に隠蔽性を必要とする白色ベタ印刷部を形成する場合には、白色ベタ印刷部を凸版印刷機又はグラビア印刷機を併用して印刷することによって、隠蔽印刷が容易な他の印刷方式を併用して生産性を大幅に高めることができる。
【００６２】
又、当該印刷基材に強度等の包装に必要な機能を付与するための透明フィルムを積層するための張り合わせには、同一機械内で同時に行われるインラインラミネート方式を採用することによって、包装材料の生産性を更に高めることができる。
【図面の簡単な説明】
【図１】本発明の包装材料の製造方法を実施する装置の一例を示す全体側面図である。
【図２】図１のオフセット印刷機における１つの印刷部を示した拡大側面図である。
【図３】表面絵柄と裏面絵柄とが印刷基材の長手方向表面に対して繰り返し絵柄として連続印刷された一例を表わす説明図である。
【図４】印刷基材が紙である場合において、紙の表面に印刷層を形成した状態を示す側面図である。
【図５】図４の紙の印刷層の表面に透明フィルムを張り合わせた状態を示す側面図である。
【図６】印刷基材がプラスチックフィルムである場合において、プラスチックフィルムの表面に印刷層を形成した状態を示す側面図である。
【図７】図６のプラスチックフィルムの印刷層の表面に透明フィルムを張り合わせた状態を示す側面図である。
【符号の説明】
１    オフセット印刷機
３    ブランケット胴
３ａ                大径部
３ｂ                小径部
４    圧胴
５    印刷基材
５ａ                紙
５ｂ                プラスチックフィルム
１０    入側正逆転駆動ローラ
１１    長さ調整部
１３    出側正逆転駆動ローラ
１４    長さ調整部
１５    透明フィルム
１６    フィルム張り合わせ装置
１７    ヒートローラ
１８    ヒートラミネーション装置
【図１】
2004358788.tif 000003
【図２】
2004358788.tif 000004
【図３】
2004358788.tif 000005
【図４】
2004358788.tif 000006
【図５】
2004358788.tif 000007
【図６】
2004358788.tif 000008
【図７】
2004358788.tif 000009